(57)【要約】  【課題】      ホルダーをより強固に保持できるルーバー取付用物品保持具を提供する。  【解決手段】  内装パネル１２の表面にルーバー取付用物品保持具１０を固定する際には、取付部材３６のルーバー側係止部７６をルーバー１６の開閉板２２に係止させ、取付部材３６の基台側係止部５８を基台３４の係止部５０に係止させ、その状態でルーバー側係止部７６と基台側係止部５８との間隔を短縮させる。すると、基台３４の脚部４０が内装パネル１２の表面に密着されて固定される。したがって、回転式のルーバー１６に適用した場合であっても、ルーバー１６の回転に伴って基台３４が回転するのを防止でき、基台３４に取り付けられたテレビ用ホルダー１８の位置が不所望に変動するのを防止できる。【選択図】      図２
2005145084.tif 000002
【特許請求の範囲】
【請求項１】
内装パネルのエアコン吹出口に装着されたルーバーを利用して物品を保持するためのルーバー取付用物品保持具であって、
前記エアコン吹出口を取り囲むようにして前記内装パネルの表面に配置される脚部と、前記ルーバーと対向する位置に配置される係止部と、前記エアコン吹出口から吹き出された空気を通す通気窓と、前記物品が取り付けられる物品取付部とを有する基台、および
前記ルーバーに係止されるルーバー側係止部と、前記基台の前記係止部に係止される基台側係止部と、前記ルーバー側係止部と前記基台側係止部との間隔を調節する間隔調節機構とを有する取付部材を備える、ルーバー取付用物品保持具。
【請求項２】
前記内装パネルの表面に当接される当接部と、前記脚部を受ける脚受部とを有し、前記エアコン吹出口のサイズと前記脚部のサイズとの不適合を解消するアダプターを備える、請求項１に記載のルーバー取付用物品保持具。
【発明の詳細な説明】
【技術分野】
【０００１】
本発明は、内装パネルのエアコン吹出口に装着されたルーバーを利用して物品（ドリンク用ホルダーまたはテレビ用ホルダー等）を保持するためのルーバー取付用物品保持具に関する。
【背景技術】
【０００２】
エアコン吹出口のルーバーを利用してドリンク用ホルダー等を保持することは、一般に行われているが、従来では、実開平５−６７５３４号公報（特許文献１）に開示されているように、ホルダー本体の背面に取り付けられたフックをルーバーに引っ掛けるだけのものが主流であった。
【特許文献１】実開平５−６７５３４号公報
【発明の開示】
【発明が解決しようとする課題】
【０００３】
従来技術（特許文献１）では、フックをルーバーに引っ掛けるだけの構成だったので、フックがルーバーから離脱するおそれがあった。また、ドリンク用ホルダー等を回転式のルーバーに固定した場合には、ルーバーの回転に伴ってホルダーも回転してしまうため、ホルダーに収容されたボトル等がホルダーから落下してしまうおそれがあった。
【０００４】
それゆえに、本発明の主たる目的は、物品（ドリンク用ホルダーまたはテレビ用ホルダー等）をより確実に保持でき、ルーバーの回転によるボトル等の落下を防止できる、ルーバー取付用物品保持具を提供することである。
【課題を解決するための手段】
【０００５】
請求項１に記載した発明は、「内装パネル１２のエアコン吹出口１４に装着されたルーバー１６を利用して物品１８を保持するためのルーバー取付用物品保持具１０であって、エアコン吹出口１４を取り囲むようにして内装パネル１２の表面に配置される脚部４０と、ルーバー１６と対向する位置に配置される係止部５０と、エアコン吹出口１４から吹き出された空気を通す通気窓５６と、物品１８が取り付けられる物品取付部５２とを有する基台３４、およびルーバー１６に係止されるルーバー側係止部７６と、基台３４の係止部５０に係止される基台側係止部５８と、ルーバー側係止部７６と基台側係止部５８との間隔を調節する間隔調節機構７４，８４とを有する取付部材３６を備える、ルーバー取付用物品保持具１０」である。
【０００６】
取付部材３６のルーバー側係止部７６をルーバー１６に係止させ、取付部材３６の基台側係止部５８を基台３４の係止部５０に係止させ、その状態でルーバー側係止部７６と基台側係止部５８との間隔を短縮させると、基台３４の脚部４０が内装パネル１２の表面に密着されて固定される。したがって、回転式のルーバー１６に適用する場合であっても、基台３４が回転するのを防止でき、基台３４に取り付けられた物品１８の位置が不所望に変動するのを防止できる。
【０００７】
請求項２に記載した発明は、請求項１に記載した「ルーバー取付用物品保持具１０」において、「内装パネル１２の表面に当接される当接部９６と、脚部４０を受ける脚受部９８とを有し、エアコン吹出口１４のサイズと脚部４０のサイズとの不適合を解消するアダプター３８を備える」ことを特徴とする。
【０００８】
この発明では、アダプター３８によってエアコン吹出口１４と脚部４０とを適合させることができるので、一つの基台３４を複数サイズのエアコン吹出口１４に適用することができる。
【発明の効果】
【０００９】
請求項１および２に記載した発明によれば、取付部材によって基台の脚部を内装パネルの表面に密着させることができるので、基台を内装パネルの表面に強固に固定でき、基台に取り付けられた物品を確実に保持できる。したがって、液晶テレビ等のような重量物を保持することができ、また、ルーバーの回転によるボトル等の落下を防止できる。
【発明を実施するための最良の形態】
【００１０】
図１に示したルーバー取付用物品保持具１０は、図２に示すように、内装パネル１２のエアコン吹出口１４に装着されたルーバー１６を利用してテレビ用ホルダー１８を保持するものである。なお、本発明の「ルーバー取付用物品保持具」は、テレビ用ホルダー１８の他に、後述するドリンク用ホルダー１０６（図１４）や、携帯電話用ホルダー（図示省略）や、その他の「物品」を保持する場合にも幅広く適用できることを予め指摘しておく。
【００１１】
ルーバー１６は、図２および図３に示すように、内部に空気流路Ａを有する筒状の枠体２０と、空気流路Ａを開閉するための２枚の開閉板２２と、２枚の開閉板２２を枠体２０の軸線を中心として回転させるための回転機構（図示省略）とを備えており、いずれかの開閉板２２を利用してルーバー取付用物品保持具１０が内装パネル１２の表面に固定される。
【００１２】
テレビ用ホルダー１８は、図２に示すように、筒状の基部２４と、基部２４の上端部に回動自在に取り付けられた球体２６と、球体２６に一端が固定されたＬ状の棒体２８と、棒体２８の他端に取り付けられた取付部３０とを備えており、基部２４がルーバー取付用物品保持具１０に固定され、取付部３０に対してテレビ３２が取り付けられる。
【００１３】
ルーバー取付用物品保持具１０は、テレビ用ホルダー１８を保持するための土台となるものであり、図１および図２に示すように、基台３４と、取付部材３６と、アダプター３８とによって構成されている。なお、これらの構成部材のそれぞれは、ＡＢＳ等のような合成樹脂の射出成形等によって成形されてもよいし、一部に金属が用いられてもよい。
【００１４】
基台３４は、図４〜図６に示すように、エアコン吹出口１４（図２）を取り囲むようにして内装パネル１２（図２）の表面に配置される環状の脚部４０を含み、脚部４０の背面の外周縁には、突条４２が形成されており、背面の所定箇所には、アダプター３８の突起４４（図９，図１１）と嵌合される穴４６が形成されている。また、脚部４０の表面の上部と下部との間には、略コ状のブリッジ４８が架け渡されており、ブリッジ４８におけるルーバー１６と対向する位置には、係止部５０が形成されており、ブリッジ４８の上部には、物品取付部５２が形成されている。さらに、ブリッジ４８の幅方向両側縁と脚部４０との間には、ブリッジ４８を補強するためのリブ５４が架け渡されており、ブリッジ４８の幅方向両側におけるリブ５４間には、エアコン吹出口１４から吹き出された空気を通す通気窓５６が形成されている。
【００１５】
係止部５０は、取付部材３６の基台側係止部５８に係止される部分であり、ブリッジ４８の中央部に上下方向へ延びて形成された長孔６０と、ブリッジ４８の表面における長孔６０の幅方向両側に形成された波状部６２とによって構成されている。一方、物品取付部５２は、テレビ用ホルダー１８（図２）が取り付けられる部分であり、ブリッジ４８における上側脚部４８ａと、上側脚部４８ａに設けられた貫通孔６４とによって構成されている。
【００１６】
取付部材３６は、基台３４を内装パネル１２（図２）の表面で固定するものであり、図１に示すように、フック部材６６と、挟持部材６８と、固定部材７０と、ロック部材７２とによって構成されている。
【００１７】
フック部材６６は、雄ねじ部７４と二股のルーバー側係止部７６とを含み、ルーバー側係止部７６は、ルーバー１６の開閉板２２に係止されるフック部７６ａを有している。
【００１８】
挟持部材６８は、図７に示すように、雄ねじ部７４が挿通される孔７８を有するＬ状の本体８０を含み、孔７８の内周部には、雄ねじ部７４の外周面（雄ねじ）に係止される係止片８２が形成されている。
【００１９】
固定部材７０は、図１に示すように、フック部材６６の雄ねじ部７４に螺合される雌ねじ部８４と円盤状の基台側係止部５８とを含み、基台側係止部５８は、雌ねじ部８４を回転させる際の「把持部」としても機能する。
【００２０】
ロック部材７２は、図８に示すように、固定部材７０の雌ねじ部８４が挿通される孔８６を有する環状の本体８８を含み、本体８８の一方面には、基台３４の波状部６２に係止される突起９０が形成されている。
【００２１】
取付部材３６においては、雄ねじ部７４に対する雌ねじ部８４のねじ込み量を変えることによって、ルーバー側係止部７６と基台側係止部５８との間隔が調節されるので、雄ねじ部７４および雌ねじ部８４が「間隔調節機構」として機能する。
【００２２】
アダプター３８は、エアコン吹出口１４のサイズと基台３４における脚部４０のサイズとの不適合を解消するものであり、図９〜図１１に示すように、環状の本体９２を含む。そして、本体９２の軸方向一方端部には、内装パネル１２の表面にスポンジ等のような緩衝材１０２を介して当接される当接部９６が形成されており、本体９２の軸方向他方端部には、脚部４０を受ける脚受部９８が形成されている。さらに、脚受部９８の所定箇所には、基台３４の穴４６に嵌合される突起４４が形成されており、脚受部９８の外周には、基台３４の突条４２（図５，図６）に嵌合される条溝１００（図９，図１１）が形成されている。
【００２３】
ルーバー取付用物品保持具１０をルーバー１６に取り付ける際には、まず、図１２および図１３に示すように、取付部材３６のフック部材６６と挟持部材６８とをルーバー１６の開閉板２２に装着する。つまり、フック部材６６のルーバー側係止部７６（フック部７６ａ）を開閉板２２の一方端縁に係止させるとともに、挟持部材６８を開閉板２２の他方端縁に係止させ、雄ねじ部７４をエアコン吹出口１４から突出させる。
【００２４】
また、アダプター３８における当接部９６の底面にスポンジ等のような緩衝材１０２（図２）を装着するとともに、アダプター３８と基台３４とを組み合わせる。なお、エアコン吹出口１４のサイズと基台３４における脚部４０のサイズとの不適合がない場合には、アダプター３８は不要であり、その場合には、脚部４０の底面に緩衝材１０２を装着してこれを内装パネル１２の表面に当接させることになる。
【００２５】
フック部材６６および挟持部材６８の装着が完了すると、エアコン吹出口１４から突出した雄ねじ部７４を、アダプター３８，基台３４の長孔６０，ロック部材７２の孔８６に順番に挿通し、その後、雄ねじ部７４に固定部材７０の雌ねじ部８４を螺合する。雄ねじ部７４に雌ねじ部８４をねじ込んでいくと、ルーバー側係止部７６と基台側係止部５８との間隔が短くなり、基台３４の脚部４０がアダプター３８を介して内装パネル１２の表面に密着されて固定される。
【００２６】
基台３４の固定が完了すると、基台３４の物品取付部５２にテレビ用ホルダー１８の基部２４を貫通孔６４に挿通されたねじ１０４（図２）によって固定し、テレビ用ホルダー１８の取付部３０に対してテレビ３２等をねじ等によって固定する。ただし、物品取付部５２にテレビ用ホルダー１８を取り付ける作業は、基台３４を内装パネル１２の表面に固定する前に行うようにしてもよい。
【００２７】
この実施例によれば、基台３４を内装パネル１２の表面に強固に固定することができるので、回転式のルーバー１６に適用する場合であっても、基台３４が不所望に回転することはない。したがって、テレビ用ホルダー１８に対して大重量の液晶表示パネル３２等を取り付けることができる。また、アダプター３８によってエアコン吹出口１４と脚部４０とを適合させることができるので、一つの基台３４を複数サイズのエアコン吹出口１４に適用することができる。
【００２８】
なお、上述の実施例では、基台３４の物品取付部５２にテレビ用ホルダー１８をねじ１０４（図２）によって取り付けるようにしているが、「物品取付部」の態様は、そこに取り付けられる「物品」の種類に応じて適宜変更可能である。たとえば、図１４に示すように、ドリンク用ホルダー１０６を上下方向へ回動自在に取り付ける場合には、ドリンク用ホルダー１０６に設けられた軸受孔（または軸）１１０に嵌合される軸（または軸受孔）が必要であるため、そのような軸（または軸受孔）１１２を有する物品取付部１１４が設けられる。
【００２９】
また、上述した実施例における取付部材３６に代えて、図１５および図１６に示すような取付部材１１６を用いるようにしてもよい。この取付部材１１６では、フック部材１１８の雄ねじ部１２０が軸方向へ延びる切断面によって２分されており、一方の分割片１２０ａに二股のルーバー側係止部１２２が一体的に設けられており、他方の分割片１２０ｂに挟持部１２４が一体的に設けられている。また、分割片１２０ａの分割面には、係止条溝１２６が形成されており、分割片１２０ｂの分割面には、係止条溝１２６に係止される係止突条１２８が形成されている。そして、分割片１２０ａおよび１２０ｂを互いに重ね合わせた状態において、これらの外周面には、結合部材１３０が装着される。
【００３０】
結合部材１３０は、内面に雌ねじ（図示省略）を有し、外面に雄ねじ１３０ａを有する筒状部材であり、結合部材１３０の端部には、六角レンチを係止するための六角穴１３０ｂが形成されている。
【００３１】
この取付部材１１６においては、結合部材１３０の雄ねじ１３０ａに対する雌ねじ部材１３２（図１５）のねじ込み量を変えることによって、ルーバー側係止部１２２と基台側係止部（すなわち雌ねじ部材１３２）との間隔が調節される。したがって、結合部材１３０の雄ねじ１３０ａおよび雌ねじ部材１３２が「間隔調節機構」として機能する。
【００３２】
この取付部材１１６を用いた場合には、図１７および図１８に示すように、分割片１２０ａおよび１２０ｂを重ね合わせる位置を変えることによって、フック部１２２ａと挟持部１２４との間隔を調節することができる。
【図面の簡単な説明】
【００３３】
【図１】ルーバー取付用物品保持具を示す分解斜視図である。
【図２】ルーバー取付用物品保持具の使用状態を示す断面図である。
【図３】ルーバーを示す斜視図である。
【図４】基台を示す正面図である。
【図５】基台を示す背面図である。
【図６】図４におけるVI-VI線断面図である。
【図７】挟持部材を示す断面図である。
【図８】ロック部材を示す斜視図である。
【図９】アダプターを示す正面図である。
【図１０】アダプターを示す背面図である。
【図１１】図９におけるXI-XI線断面図である。
【図１２】取付部材の装着方法を示す斜視図である。
【図１３】取付部材の装着方法を示す斜視図である。
【図１４】物品取付部の変形例を示す斜視図である。
【図１５】他の取付部材の使用方法を示す分解斜視図である。
【図１６】他の取付部材を示す分解斜視図である。
【図１７】他の取付部材における挟持部分の間隔調節方法を示す斜視図である。
【図１８】他の取付部材における挟持部分の間隔調節方法を示す斜視図である。
【符号の説明】
【００３４】
１０…  ルーバー取付用物品保持具
１４…  エアコン吹出口
１６…  ルーバー
１８…  テレビ用ホルダー
２２…  開閉板
３４…  基台
３６…  取付部材
３８…  アダプター
４０…  脚部
５０…  係止部
５２…  物品取付部
５６…  通気窓
５８…  基台側係止部
６０…  長孔
６２…  波状部
６６…  フック部材
６８…  挟持部材
７０…  固定部材
７２…  ロック部材
７４…  雄ねじ部
７６…  ルーバー側係止部
【図１】
2005145084.tif 000003
【図２】
2005145084.tif 000004
【図３】
2005145084.tif 000005
【図４】
2005145084.tif 000006
【図５】
2005145084.tif 000007
【図６】
2005145084.tif 000008
【図７】
2005145084.tif 000009
【図８】
2005145084.tif 000010
【図９】
2005145084.tif 000011
【図１０】
2005145084.tif 000012
【図１１】
2005145084.tif 000013
【図１２】
2005145084.tif 000014
【図１３】
2005145084.tif 000015
【図１４】
2005145084.tif 000016
【図１５】
2005145084.tif 000017
【図１６】
2005145084.tif 000018
【図１７】
2005145084.tif 000019
【図１８】
2005145084.tif 000020